(57)【要約】  本発明の１つの実施形態において、ポータブルメディアプレイヤーは装着可能なボタン形状を有しており、前面とコメントを有する本体部を含む。該メディアプレイヤーは、シャツやジャケットなどの衣服に本体部を着脱可能に取り付けるための手段も有する。該プレイヤーは少なくとも１つのオーディオファイルを含むメモリを有し、そのオーディオファイルをアナログ音声信号に変換するための手段も含み、メモリのコンテンツは工場でプログラム化されており、ユーザによって変更できない。再生制御部はメモリに保存されたオーディオファイルの再生を可能にするために提供される。本発明によって、アーティストのインディシアは、本体部の前面に固定して配される。インディシアはオーディオファイルのコンテンツに対応する。例えば、インディシアは、アーティストの名前および／または歌のタイトルを含むとともに、オーディオファイルのコンテンツのアーティストに関連する画像を含むことができる。【選択図】図１
2013522675.tif 000002
【特許請求の範囲】
【請求項１】
メディアプレイヤーであって、
前記メディアプレイヤーは、
前面と後面とを有するボタン形状の本体部と、
前記本体部の後面に沿って配された、前記本体部を衣服に着脱可能に取り付けるための手段と、
少なくとも１つのオーディオファイルを含むメモリを有するプロセッサとを備え、
前記プロセッサは工場でプログラム化されるため、前記メモリのコンテンツはユーザによっては変更できず、
前記メディアプレイヤーはさらに、
前記メモリに保存される前記オーディオファイルの再生を可能にするとともに、前記オーディオファイルの再生の停止を可能にする再生制御部と、
前記オーディオファイル内に保存されるコンテンツのアーティストに対応する、前記前面に固定して配置されたインディシアとを備えることを特徴とするメディアプレイヤー。
【請求項２】
前記ボタン形状の本体部が円形状を有していることを特徴とする請求項１に記載のメディアプレイヤー。
【請求項３】
前記本体部を前記衣服に着脱可能に取り付けるための手段は、ピンバック構造を含むことを特徴とする請求項１に記載のメディアプレイヤー。
【請求項４】
前記再生制御部は、作動時に前記オーディオファイルを再生する再生ボタンと、作動時に前記オーディオファイルの再生を停止する停止ボタンとを含むことを特徴とする請求項１に記載のメディアプレイヤー。
【請求項５】
アーティストのインディシアは、アーティストの名前と、歌のタイトルと、歌または前記歌を含む選集のいずれかに関連するグラフィックカバーとの少なくとも１つを含むことを特徴とする請求項１に記載のメディアプレイヤー。
【請求項６】
前記アーティストのインディシアはテキストと画像の少なくとも１つを含むことを特徴とする請求項１に記載のメディアプレイヤー。
【請求項７】
前記再生制御部は、前記前面と前記後面との間に配される周辺の側端部に沿って配置されることを特徴とする請求項１に記載のメディアプレイヤー。
【請求項８】
前記本体部は、前記オーディオファイルの再生を聴くために、ヘッドフォンの装着を可能にするヘッドフォンジャックをさらに含むことを特徴とする請求項１に記載のメディアプレイヤー。
【請求項９】
前記ヘッドフォンジャックは、前記前面と前記後面との間に配される周辺の側端部に沿って配置されることを特徴とする請求項８に記載のメディアプレイヤー。
【請求項１０】
前記メモリが、一人のアーティストの曲を含む少なくとも２つの異なるオーディオファイルを含むことを特徴とする請求項１に記載のメディアプレイヤー。
【請求項１１】
前記オーディオファイルがアーティストの曲を含むことを特徴とする請求項１に記載のメディアプレイヤー。
【請求項１２】
電源をさらに含むことを特徴とする請求項１に記載のメディアプレイヤー。
【請求項１３】
前記プレイヤーには、ファイルがメモリに保存されるまたはメモリから削除されることを可能にする任意のデータポートがないことを特徴とする請求項１に記載のメディアプレイヤー。
【請求項１４】
前記本体部は、四角形、長方形、三角形、および、卵形からなる群から選択される形状を有することを特徴とする請求項１に記載のメディアプレイヤー。
【請求項１５】
装着可能なボタン形状であるポータブルメディアプレイヤーであって、
前記ポータブルメディアプレイヤーは、
前面と後面とを有するボタン形状の本体部と、
前記本体部を衣服に着脱可能に取り付けるための手段と、
少なくとも１つのオーディオファイルを含むメモリと、
オーディオファイルをアナログ音声信号に変換するための手段とを備え、
前記メモリのコンテンツはエンドユーザによっては変更できず、
前記ポータブルメディアプレイヤーはさらに、
前記メモリに保存される前記オーディオファイルの再生を可能にする再生制御部と、
前記オーディオファイルのコンテンツに対応する、前記前面に固定して配置されたアーティストのインディシアとを備えることを特徴とするポータブルメディアプレイヤー。
【請求項１６】
前記本体部には、エンドユーザが前記メモリのコンテンツを変更することを可能にする任意のデータポートがないことを特徴とする請求項１５に記載のメディアプレイヤー。
【請求項１７】
装着可能なボタン形状であるポータブルメディアプレイヤーであって、
前記ポータブルメディアプレイヤーは、
前面と後面とを有するボタン形状の本体部と、
前記本体部を衣服に着脱可能に取り付けるための手段とを備え、
前記手段は別の安全ピンを備え、前記安全ピンは、前記本体部に関連する部材を圧着することによって取り込まれるが、前記衣服に前記本体部を取り付けるために前記ピンが前記衣服にまで伸張するのを可能にするよう広げられることができ、
前記ポータブルメディアプレイヤーはさらに、
プロセッサと、少なくとも１つのオーディオファイルを含むメモリと、
前記プロセッサに電気的に接続される、コネクタを収容するために本体部に形成されるジャックと、
メモリに保存される前記オーディオファイルの再生を可能にする再生制御部と、
前記オーディオファイルのコンテンツに対応する、前記前面に固定して配置されたインディシアとを備えることを特徴とするポータブルメディアプレイヤー。
【請求項１８】
前記圧着部材は、前記本体部の第１端部に取り付けられた湾曲したプロングを備え、圧着前の元の位置で、安全ピンを部分的に収容する間隙がプロングの下方に形成され、圧着位置で前記安全ピンがプロングの下に取り込まれることを特徴とする請求項１７に記載のメディアプレイヤー。
【請求項１９】
前記圧着部材が型抜き加工部材であることを特徴とする請求項１８に記載のメディアプレイヤー。
【請求項２０】
前記プロセッサは、前記コネクタがジャック内部に収容される際に前記オーディオファイルが自動的に再生されるように構成されることを特徴とする請求項１７に記載のメディアプレイヤー。
【請求項２１】
前記本体部内に配される光をさらに含み、前記本体部の前面は、前面を見る際に光が見えるように、少なくとも光にもっとも近い領域で半透明または透明のいずれかである材料で形成されることを特徴とする請求項１７に記載のメディアプレイヤー。  
【請求項２２】
前記インディシアが静止画像を含むことを特徴とする請求項１７に記載のメディアプレイヤー。
【請求項２３】
前記インディシアがレンズ像を含むことを特徴とする請求項２２に記載のメディアプレイヤー。
【請求項２４】
前記安全ピンは、固定バーと、開かれた位置と閉じられた位置との間で動く駆動可能なバーとを備え、前記固定バーは前記圧着部材の下で取り込まれることを特徴とする請求項１７に記載のメディアプレイヤー。
【発明の詳細な説明】
【技術分野】
【０００１】
本発明はポータブルメディアプレイヤーに関し、特に、ボタン形状を有するとともにメディアプレイヤー内に保存されるコンテンツに直接関連するインシディアを含むポータブルメディアプレイヤーに関する。
【背景技術】
【０００２】
長年にわたってポータブルオーディオまたはメディアプレイヤーは、ますます一般的なものになってきており、なかにはもっと一般的に所有される電子消費製品もある。ポータブルプレイヤーは多くの異なる設定下で使用されている。例えば、多くの人が例えば屋外やジムで運動をしながらポータブルプレイヤーを使用し、多くの人が様々な場所で話したり歩いたりしながらこのプレイヤーを使用している。
【０００３】
一般的に、ポータブルオーディオプレイヤーは、ユーザが記録したオーディオを携帯しながら聴くことを可能にするパーソナルモバイルデバイスである。パーソナルプレイヤーとは、ヘッドフォンで聴くポータブルオーディオプレイヤーのことを言う。多くの場合、このプレイヤーはＡＭ信号やＦＭ信号などの無線信号も受信することができる。
【０００４】
広く成功を享受した初期のポータブルプレイヤーの１つは、１９７９年に発表されたソニーウォークマンなどのコンパクトカセットプレイヤーであった。技術が進むにつれて、様々なタイプのポータブルプレイヤーが人気を博して主流となった。例えば、市販のＣＤを再生するコンパクトディスクプレイヤーは成功を収め、後のモデルは書き込み可能なＣＤＲやＣＤＲＷメディアを再生することができた。その後の技術の大きな進歩は利用可能なデジタルオーディオプレイヤーを生み出した。デジタルオーディオプレイヤーはフラッシュメモリまたはハードディスク記憶装置に基づいていた。ファイルは通常。非可逆圧縮を用いてデータを圧縮し、これによって幾ばくかのクオリティを犠牲にしてファイルのサイズを縮小する。ハードディスクやＣＤを上回るソリッドステートのデジタルオーディオプレイヤーの利点は、振動への耐性、小型サイズ、軽量、および、低バッテリーでの使用である。
【０００５】
デジタルオーディオプレイヤーは、ユーザがそのデジタルオーディオプレイヤーのメモリにコンテンツをダウンロードすることができるように設計されている。したがって、デジタルオーディオプレイヤーのオーディオコンテンツは動的なものであり、ユーザが興味のないファイルを単に削除するか、または、新しいファイルをダウンロードすることによって、やすやすと変更可能である。オーディオプレイヤーは、一般的には、特定の情報、例えば、トラック番号、名前、演奏される曲の選集、ラジオ局などを表示する、ＬＥＤスクリーンなどのディスプレイスクリーンを含む。
【０００６】
このようなタイプのプレイヤーは、消費者がアクセス権を持っているタイプであり、このとき、コンテンツ記憶装置は動的であり、ユーザによって変更可能である。ストラップ、ベルトなどを用いて、プレイヤーを身体に巻くことができる。
【０００７】
非プログラム式のプレイヤーは、電子グリーティングカードなどの異なる形状でも提供可能である。電子グリーティングカードは、消費者が開くと、「Ｈａｐｐｙ  Ｂｉｒｔｈｄａｙ」などの曲を演奏するのが典型的である。カードには、マイクロスピーカーとコイルセルと、グリーティングカード本体の開閉に従って回路を開閉する簡素なスイッチとがある。しかしながら、このタイプの装置は巻かれることを意図しておらず、エンドユーザの聴く楽しみのためのメディアプレイヤーとして機能することも意図していない。
【発明の概要】
【課題を解決するための手段】
【０００８】
本発明の１つの実施形態において、ポータブルメディアプレイヤーは、装着可能なボタン形状であり、前面と後面を有する本体部を含む。メディアプレイヤーは、シャツやジャケットなどの衣服に本体部を着脱可能に取り付けるための手段も有する。プレイヤーは、少なくとも１つのオーディオファイルを含むメモリと、そのオーディオファイルをアナログ音声信号に変換するための手段も含み、メモリのコンテンツはユーザによって変更できない。言い換えれば、メモリは工場でプログラム化されたメモリであり、本発明のプレイヤーは、ユーザがメモリに書き込むことを可能にするデータポートを有していない。再生制御部は、メモリに保存されたオーディオファイルの再生を可能にするために与えられる。本発明に関連して、アーティストのインディシアが本体部の前面に固定して配置される。そのインディシアはオーディオファイルのコンテンツに対応している。例えば、インディシアは、アーティストの名前および／または歌のタイトルを含むことができ、および／または、オーディオファイルのコンテンツのアーティストに関連する画像を含むことができる。
【０００９】
これらと他の態様、特徴、および、利点は、本発明の特定の実施形態の添付図と記載から明らかになるであろう。
【図面の簡単な説明】
【００１０】
【図１】本発明の１つの典型的な実施形態による、インディシアを有する、ボタン形状のポータブルメディアプレイヤーの斜視図である。
【図２】図１のプレイヤーの正面図である。
【図３】図１のプレイヤーの背面図である。
【図４】図１のプレイヤーの側面図である。
【図５】図１のプレイヤーの断面図である。
【図６】別の実施形態による、インディシアを有する、ボタン形状のポータブルメディアプレイヤーの後面および底面斜視図である。
【図７】図６のボタン形状のポータブルメディアプレイヤーの正面図である。
【図８】図６のボタン形状のポータブルメディアプレイヤーの背面図である。
【発明を実施するための形態】
【００１１】
本発明の第１の実施形態によって、ポータブルメディアプレイヤー（１００）が図１乃至５に示される。ポータブルメディアプレイヤー（１００）は、装着可能なボタン形状であり、前面（ｆｒｏｎｔ  ｆａｃｅまたはｆｒｏｎｔ  ｓｕｒｆａｃｅ）（１２０）と反対の後面（ｒｅａｒ  ｆａｃｅ またはｒｅａｒ  ｓｕｒｆａｃｅ）（１３０）とを有するボタン本体部（１１０）を含む。ボタン本体部（１１０）は、前面と後面（１２０、１３０）の間を伸張する周辺の側壁部（１４０）を有する。
【００１２】
示された実施形態では本体部（１１０）は円形状を有しているが、当然のことながら、本体部（１１０）は他の形状、例えば、四角形、長方形、三角形、および、卵形からなる群から選択される形状などを有していてもよい。
【００１３】
ボタン形状のメディアプレイヤー（１００）は、従来のボタンの装着方法に類似してユーザの身体に装着するよう意図されている。より具体的には、プレイヤー（１００）は、ユーザの身体上にプレイヤー（１００）を装着することが可能な手段（２００）を有する。その手段（２００）は、プレイヤー（１００）を着脱可能に取り付けるための、任意の数の様々なタイプの従来の結合技術（機械式締め付け具）であってもよい。図１乃至４に示す実施形態は、ユーザが着る衣服にボタン本体部（１１０）を取り付けるための手段として、ピンバック（ｐｉｎｂａｃｋ）構造（２００）を用いる。ピンバック構造（２００）は後面（１３０）に沿って配置され、衣服とボタン本体部（１１０）とを固定して取り付けるためにピン留め金（２２０）で係合および施錠する押圧可能なピン（２１０）を含む。開錠された位置で、ピン（２１０）はピン留め金（２２０）から解放され、これによってピン（２１０）が衣服を通って挿入され、その後、ピン留め金（２２０）と係合することで、ボタンを固定して取り付けることが可能となる。
【００１４】
当然のことながら、ピンバック構造は衣服にボタンを取り付けるためのただ１つのタイプの構造である。衣服にボタン状のプレイヤー（１００）を取り外し可能なように取り付けることについては、他の留め金またはクランプ、あるいは他の構造でも同等に可能である。
【００１５】
本発明に従って、前面（１２０）は、メモリに保存されるコンテンツに対応するインディシア（３００）を含む。言い換えれば、インディシア（３００）は、メモリに保存される歌を表すアーティストのインディシアである。例えば、インディシア（３００）は、以下の少なくとも１以上をグラフィックに表示したものであり得る：アーティストの名前、歌のタイトル、アルバムのジャケット、または、メモリに保存されるコンテンツを表す他のインディシア。
【００１６】
１つの実施形態では、１曲だけがプレイヤー（１００）のメモリに保存され、インディシア（３００）は、アーティスト名および／または歌のタイトルを記載し、および／または、それらを表すグラフィック画像を含む。
【００１７】
当然のことながら、前面（１２０）のインディシア（３００）は、メモリ内の保存されたコンテンツが固定されるのと同じように固定され（静的であり）、エンドユーザが動かすことはできない。
【００１８】
その結果として、および、本発明の１つの実施形態に従って、インディシア（３００）は、プレイヤーの前面にわたって配置されるレンズ像の形態であり得る。
【００１９】
本発明のプレイヤーには広範な用途があり、多様な異なる経路を介して消費者（エンドユーザ）に提供可能である。したがって、例えば、プレイヤー（１００）は、アーティストの歌、または、アーティストによる歌の選集を販売促進するためのプロモーションアイテムとして、役に立つことができる。プレイヤー（１００）はイベントや会場でも使用可能であり、同様にチャリティイベントや同種のイベントでも使用可能である。受取人（ｒｅｃｅｐｉｅｎｔ）または消費者は、衣服にプレイヤー（１００）を取り付けるだけで、その後、プレイヤーを作動させてそのコンテンツを聴くことができる。
【００２０】
プレイヤー（１００）の大きさは用途によって変わることがある。しかしながら、プレイヤー（１００）は、ユーザの衣服に快適に装着可能なサイズでなければならず、かつ、以下に記載されるようにプレイヤー（１００）内に含まれる比較的簡素な電子機器であるため、プレイヤー（１００）は、１クォーターよりもわずかに大きなサイズなどといった比較的小型のサイズで有り得る。しかしながら、前面（１２０）上に所望のインディシア（３００）を配するためにさらに多くの空間が必要な場合には、プレイヤー（１００）はより大きなサイズで有り得る。
【００２１】
ダイナミックディスプレイがないため、インディシア（３００）はメモリに保存されたコンテンツを表示するのに限定され、そのコンテンツをどのようにしても操作することはできない。ユーザは単純にメディアプレイヤーを再生し、いずれかの任意の時点でそのメディアプレイヤーの再生を停止することができるだけである。言い換えれば、（データポート等がないので）消費者にはアクセス権がなく、その代わりに、メモリが工場でプログラム化される。１つの実施形態では、メモリは、ワーム（ＷＯＲＭ）タイプ（追記型光ディスク）であってもよく、これは一度だけしか書き込むことができないが、複数回読み取ることが可能なデータ記憶媒体のことを言う。当然のことながら、エンドユーザにメモリに対するアクセス権がない限り、したがって、メモリのコンテンツを変えることができない限り、他のタイプのメモリは使用可能である。
【００２２】
１つの実施形態では、メモリ記憶装置は、ＣＤ音質のオーディオ（例えば、７００ＭＢ以上）を含むことができるほど十分に大きい。
【００２３】
結果として、プレイヤー（１００）は、消費者のアクセス権がないという点で閉じられたメディアプレイヤーであるので、プレイヤー（１００）は限定的な再生制御部のみを含む。例えば、プレイヤー（１００）は、第１のボタン（４００）（再生ボタン）と第２のボタン（４１０）（停止ボタン）を含むことができる。第１と第２のボタン（４００、４１０）は、本体部（１１０）の周辺の側壁部（１４０）に沿って配される。
【００２４】
コンテンツを再生するために、ユーザはたんに第１のボタン（４００）を押し、再生を停止するために、ユーザはたんに第２のボタン（４１０）を押す。再生ボタン（４００）を押すことでプレイヤー（４００）の電源が入るようにプレイヤー（４００）の電子機器を構成可能であり、電源を落とすためには、ユーザは（再生を停止するために停止ボタンをたんに一度だけ押すのとは対照的に）所定の時間、停止ボタン（４１０）を押し続けえればよい。
【００２５】
再生の音量に関して、予め決められた再生音量が１つあるように、つまり、任意の音量の制御が必要ないように、プレイヤー（１００）を設計可能である。その代わりに、再生制御部は、周辺の側壁部（１４０）に沿って配置可能な音量制御ボタン（＋と−のボタン）を含むことができる。説明を容易にするために、本発明の図面は、音量が所定の設定下で設定され、ユーザによって変更できない第１の実施形態を示している。
【００２６】
ヘッドフォン（５００）を介してコンテンツを聴くことを可能にするために、プレイヤー（１００）は、プレイヤー（１００）の本体部（１１０）内部に配されたヘッドフォンジャック（４２０）（オーディオポート）を含む。ジャック（４２０）は本体部（１１０）の周辺の側壁部（１４０）に沿って開いており、ヘッドフォン（５００）のプラグを受け取るように構成されている。ヘッドフォン（５００）はポータブルメディアプレイヤーに装着されるように構成された従来のヘッドフォンである。ジャック（４２０）は、スピーカー手段でコンテンツを聴くことができるために１以上のスピーカーに接続されたプラグも受け取ることができる。
【００２７】
図５は、プレイヤー（１００）の内部の部品を示すために、本体部（１１０）を通って撮られたプレイヤー（１００）の断面図である。例えば、プレイヤー（１００）は、メディアコンテンツ（例えば、圧縮されたオーディオファイルとして保存される歌または歌の選集）の保存と制御再生を可能にする電子機器を含む内部のコンパートメントまたは空洞部（１０２）を含む。
【００２８】
プレイヤー（１００）は大部分のＭＰ３プレイヤーと類似しており、アナログ音声信号へと圧縮されるオーディオファイルを守るために、メモリ保存装置（例えば、フラッシュメモリまたは小型のハードディスクドライブ）、埋め込みプロセッサ、および、マイクロチップ（オーディオコーデックチップ）を含む。
【００２９】
この電子機器は媒体を保存するためのメモリ（例えば、内部フラッシュメモリ（ソリッドステートメモリ））を有するプロセッサ（６００）（マイクロチップ）を含み、第１と第２のボタン（４００、４１０）およびジャック（４２０）に電気的に接続されている。例えば、電気リード線または電気接点（４３０）は、ボタン（４００、４１０）およびジャック（４２０）をプロセッサ（６００）に接続することで、本明細書に記載のプレイヤーの限定的な制御を可能にする。電源（図示されず）は、同様に内部コンパートメント（１０２）内に含まれる。電源はプロセッサ（６００）に電気的に接続され、１以上の電池（例えば、再充電可能な電池または再充電不可能な電池）の形態で有り得る。
【００３０】
当然のことながら、メディアプレイヤーで見られる他の従来の部品は電子機器の一部として含まれ得る。簡略化のために、プロセッサ（６００）は、保存された媒体を処理することで再生を可能にする従来の電子部品、例えば、デジタルサウンドプロセッサ（ＤＳＰ）、アンプなどを含むものと理解される。
【００３１】
再度、プレイヤー（１００）は開かれておらず、十分に書き込み可能なデバイスであり、したがって、プレイヤー（１００）は、コンテンツをパーソナルコンピュータなどのデバイスからメモリへと外部にアップロードおよび／またはダウンロードすることを可能にするデータポートを含んでいない。先に記載のように、メモリに保存されたコンテンツは静的であり、チップ（プロセッサ（６００））の製造時、コンテンツがメモリに保存されることで、その後のプレイヤー（１００）の組み立てと密閉が可能になる。
【００３２】
図３で見られるように、カバー（７００）とその同種のものは、本体部（１１０）の後面（１３０）の一部として含まれ得る。例えば、カバー（７００）は、ピンバック構造（２００）の可動ピンの下部に配置可能である。スナップフィットなどの従来の手段を用いて、カバー（７００）を本体部（１１０）に取り付けることができる。
【００３３】
ここで図６乃至８を参照すると、別の実施形態によるポータブルメディアプレイヤー（８００）が示されている。ポータブルメディアプレイヤー（８００）は、図を見れば分かるようにボタン（１００）と類似している。本明細書に記載されるように、ポータブルメディアプレイヤー（８００）は、ボタン（１００）と同じようなやり方で動作するよう意図されている。言い換えれば、ポータブルメディアプレイヤー（８００）は、装着可能なボタン形状であり、前面（８２０）と反対の後面（８３０）を有するボタン本体部（８１０）を含む。ボタン本体部（８１０）は、前面と後面（８２０、８３０）の間で伸張する周辺の側壁部（８４０）を有する。
【００３４】
示された実施形態では本体部（８１０）は円形状を有しているが、当然のことながら、本体部（８１０）は他の形状、例えば、四角形、長方形、三角形、および、卵形からなる群から選択される形状などを有していてもよい。
【００３５】
ボタン形状のメディアプレイヤー（８００）は、従来のボタンの装着方法に類似してユーザの身体に装着するよう意図されている。より具体的には、プレイヤー（８００）は、ユーザの身体上にプレイヤー（８００）を装着することが可能な手段（９００）を有する。その手段（９００）は、プレイヤー（８００）を着脱可能に取り付けるための、任意の数の様々なタイプの従来の結合技術（機械式締め付け具）であり得る。図６乃至８に示す実施形態は、ユーザが着る衣服にボタン本体部（８１０）を取り付けるための手段として、ピンバック（９０５）を用いる。ピン（９０５）は、図に示す安全ピンを含む任意の数の様々なタイプのピンであってよい。第１の実施形態とは異なり、第２の実施形態で使用されるピン（９０５）は、実際には別の部品であり、従来の安全ピン構造であってもよい。
【００３６】
当然のことながら、ピン（９０５）が他の部品およびポータブルメディアプレイヤー（９００）に関連する別々の構成部品であり得るため、ピン（９０５）の異なるタイプは、一般的なメディアプレイヤー（９００）の設計を用いて使用するために選択され得る。例えば、ピン（９０５）は、任意の数の異なる色で与えられ、異なるグラフィックパターンを含み、異なるサイズで提供可能でさえある。これによって、ユーザは好みに合わせてプレイヤー（９００）をカスタマイズすることが可能である。というのも、異なるバージョンのメディアプレイヤーが消費者（エンドユーザ）に提供され得るからである。
【００３７】
任意の数の異なる技術は、本体部（８１０）にピン（９０５）を固定するために使用され得る。示された実施形態において、圧着技術が用いられるのは、互いに離れて間隔を置かれる１組の圧着可能な部材（９２０）の間に挿入されるピン（９０５）においてである。部材（９２０）は、本体部（８１０）の１つの端部に取り付けられる、圧着可能なプロング（ｐｒｏｎｇｓ）、突部などの形状であり得る。部材（９２０）は、そのため、本体部（８１０）から外側に伸張し、本体部（８１０）に取り付けられていない自由端部を備える。図にも示されているように、部材（９２０）は、ピン（９０５）を収納させるための、隙間を下部に提供するような湾曲した形状を備える。部材（９２０）は、そのため、本体部（８１０）自体が形成されるとき、型抜き加工の間に形成され得る。
【００３８】
ピン（９０５）は、そのため、本体部（８１０）および他の構成部品の組立て後に固定される。本体部（８１０）にピン（９０５）を固定するために、ピン（９０５）はプロング（９２０）の下に挿入され、その結果、固定バー（９０７）（回転軸が開かない（ｄｏｅｓ ｎｏｔ ｐｉｖｏｔ ｏｐｅｎ）ピン部）は、プロング（９２０）の下に置かれる。プロング（９２０）は、その後、ピン（９０５）を適所で完全に取り込み、固定するために、圧着されるか、そうでなければ曲げられる。ピン（９０５）の可撓性を有するバー（９０９）は、そのため、プロング（９２０）によって封じ込めはされておらず、開放軸ができることによって、ピン（９０５）は、ユーザが着ている衣服に留められることが可能である。
【００３９】
ポータブルメディアプレイヤー（９００）は、メディアプレイヤー（１００）に関する開示されていない多くの他の特徴も含む。
【００４０】
例えば、１つのそのような特徴は、一度プラグがジャック（４２０）に差し込まれると、プレイヤー（９００）の電源が自動的に入り、コンテンツの再生を開始するように、プレイヤー（９００）のエレクトロニクス（プロセッサ）が構成され得る、「即時再生」の特徴である。この自動または即時再生の特徴により、ユーザがユニットに電源を入れるためにコントロールパネルの「再生」ボタンを押す必要がなくなる。ポータブルメディアプレイヤーは、本明細書に記載されるような固定コンテンツを含む「再生ボタン」であることが意図されているため、プレイヤー（９００）は、音量の上げ下げ、巻き戻しおよび早送りなどのまさに基本操作を備えることができる。もちろん、もしユーザは、ジャック（４２０）にプラグを挿入した直後にコンテンツを聞きたくなければ、単に、停止ボタンを押すことができる。当然のことながら、プラグ（コネクタ）がジャック（４２０）から抜かれるとき、プレイヤー（９００）の電源が切れるという、「即時オフ」の特徴を与えるために、本発明のプロセッサが構成される。
【００４１】
当然のことながら、本体部（８１０）のジャック（４２０）により、ヘッドホン（５００）が使用されることが可能になるだけでなく、バッテリーを充電するためにコンピューターのＵＳＢポートに接続する、スピーカーなどに接続するなどの他の機能を可能にするために、コネクタケーブルなど（図示されず）が使用されることが可能になる。
【００４２】
第１の実施形態のように、メディアプレイヤー（９００）は、巻き戻し（スキップバック（ｓｋｉｐ  ｂａｃｋ））ボタン（９１１）、早送り（スキップフォワード（ｓｋｉｐ  ｆｏｒｗａｒｄ））（９１３）および再生／停止（一旦停止）ボタン（９１５）を含む。リセットボタン（９１９）も与えられることが可能である。
【００４３】
メディアプレイヤー（９００）は、ボタン（９５０）で起動され得るイコライザー（ＥＱ）を随意に含むこともできる。知られているように、イコライゼーションとは、信号内の一定の周波数の強度を調節するプロセスである。イコライゼーションを達成するために使用される回路または装置は、イコライザーと呼ばれる。これらの装置は、特定周波数帯のエネルギーを強くする（高める）または弱める（削減する）。メディアプレイヤーは典型的に、低音または高域周波数を高めるイコライザーを備える。ユーザは、単にＥＱボタン（９５０）を押し、イコライザーを起動することができ、利用可能なＥＱオプションをスクロールするために単にボタン（９５０）を押すことにより、アクセスされ得る複数の一連のイコライザーモードを与えられ得る。ユーザが耳に心地よいモードを聞くとき、ユーザはボタン（９５０）を押すことを単にやめ、ユニットをこのセッティングのままにしておくことができる。一定時間ボタン（９５０）を長押しすることにより、イコライザーが止められ、また、同様に、ボタン（９５０）を長押しすることにより、イコライザーがつけられ得るように、プロセッサは構成され得る。
【００４４】
使用されるボタンの数を減らすために、音量および早送りおよび巻き戻しの特徴は同じボタンを共有し、特に、例えば、早送り（スキッドアヘッド（ｓｋｉｄ ａｈｅａｄ））ボタンは音量を上げ下げするボタンのいずれかとして機能し、同様に、巻き戻し（スキップバック）ボタンは逆に音量を上げ下げするボタンのいずれかとして機能するように、プレイヤー（９００）は構築される。音量を変更するために、ユーザはこれらのボタンの１つを一定時間単に長押し、一方、早送りまたは巻き戻しの機能を操作するために、ユーザは単にボタンを早押しする。
【００４５】
停止ボタンは、一時停止ボタンとしても機能する。
【００４６】
与えられ得るさらに別の特徴は、ＬＥＤなどの光が本体部（８１０）内に存在し、プレイヤー（８００）が操作されるときに、光が点灯するという拡散光の特徴である。光（ＬＥＤ）はいくつかの異なる目的を果たすことができ、第１に、光は、ユニットに電源が入っていることをユーザに知らせることができる。第２に、光は、ユニットに一定の外観を与えるために、本体部（８１０）の前面のインディシアと故意に組み合わされ得る拡散光を与えることができる。例えば、前面の部分であるグラフィックインディシアは、背面照明が劇的効果を与える部分を含むことが可能で、そのような場合、光がそのような位置で本体部（８１０）内に置かれる。例えば、グラフィックインディシアは、水（ａ ｂｏｄｙ ｏｆ ｗａｔｅｒ）を含むことができる。その場合、青色ＬＥＤであり得る光は、インディシアのこの部分の後ろに位置されることが可能であり、それ故、プレイヤーが操作されるとき、水は青色に輝くことが可能である。同様に、一定のテキストは戦略的に背面照明を備えることが可能である。例えば、光は、バンド名および／またはアルバム名などを背面照明で照らすように位置されることが可能である。もちろん、光は、グラフィックインディシアの全体またはほとんどを背面照明で照らす拡散光を単に与えるように位置され、また設計されることが可能である。
【００４７】
それ故、当然のことながら、そのような光が本体部（８１０）の前面カバーを通って放射することを可能にするために、本体部（８１０）の前面カバーが半透明または半半透明材で形成され得る。従って、ユニットの背面が金属で形成され得る一方で、ユニットの前面部は、所望の照明を可能にするためにプラスチックなどで形成されることが好ましい。
【００４８】
本発明は、そのため、エンドユーザアクセスを有さないポータブルメディアプレイヤー（ＭＰ３）を与える。言い換えれば、末端消費者（エンドユーザ）は、メディアプレイヤーに与えられるコンテンツにアクセスするまたは変更を加えることはできない。本発明のポータブルメディアプレイヤーは、そのため、エンドユーザに従来のＬＰまたはＣＤを聴いているという感じを与える。加えて、メディアプレイヤーの前面が、メディアプレイヤーのコンテンツに関連するインディシアを表示するように設計されているので、エンドユーザは、メディアプレイヤーがエンドユーザの衣服上に目立つように装着され、それ故、他の人に見えるため、エンドユーザが何を聴いているかを他の人に気付かせることができる。
【００４９】
１つの代替的な実施形態において、ジャック（４２０）は、プレイヤーにコンテンツをアップロードするために、コンテンツサプライヤー（例えば、音楽会社など）によって使用され得る。しかしながら、下記に記載されるように、メディアプレイヤーは、エンドユーザが保存されたコンテンツを修正できないという点において、エンドユーザにとって閉じられた（ｓｅａｌｅｄ）ものである。言い換えれば、メディアプレイヤーの基本的な構成部品は、製造され、その後、空になっているメモリとともにコンテンツプロバイダーに供給され得る。コンテンツサプライヤーに与えられるメモリは、そのため、ＷＯＲＭタイプ（追記型光ディスク）である。コンテンツサプライヤーは、その後、ジャック（４２０）を介してメモリにアクセスすることによって、メモリにコンテンツをアップロードする；しかしながら、一度メモリがコンテンツとともに書き込まれると、コンテンツサプライヤーが一度メモリを書き込み、それ故、メモリは変更されることができないため、エンドユーザがメモリを変更することは決してできない。言い換えれば、メモリは、（コンテンツサプライヤーの行為によって）一度だけ情報を保存することができる。
【００５０】
この実施形態において、一度コンテンツサプライヤーがポータブルメディアプレイヤーにコンテンツをアップロードすると、コンテンツサプライヤーは、その後、従来の流通方法を使用して、エンドユーザに流通させるためのメディアプレイヤーを包装することができる。コンテンツサプライヤーは、そのため、全製造および流通網における仲介役である。
【００５１】
本発明はその特定の実施形態に関して記載されている一方で、本発明は他の形態で実行されることが可能で、他の材料および構造を使用することが可能である。従って、本発明は、本明細書に付け加えられる請求項およびその同等物において再び引用されることにより定義される。
【図１】
2013522675.tif 000003
【図２】
2013522675.tif 000004
【図３】
2013522675.tif 000005
【図４】
2013522675.tif 000006
【図５】
2013522675.tif 000007
【図６】
2013522675.tif 000008
【図７】
2013522675.tif 000009
【図８】
2013522675.tif 000010
【国際調査報告】
2013522675.tif 000011
2013522675.tif 000012